(57)【要約】【課題】高額な電力量計の設置を必要とせず、室内空気環境を損なわずに空気調和機の使用電力量を年間を通じて低減する。【解決手段】制御状態検出手段８で検出する運転モードが冷房モードまたは除湿モードでかつ日の出日の入り判定手段１１で日の入りを検出した場合、または、制御状態検出手段８で検出する運転モードが暖房モードでかつ日の出日の入り判定手段１１で日の出を検出した場合、複数の空気調和機２を能力制御設定入力手段９で設定された運転モード、設定温度、設定風量を組み合わせた運転状態になるように所定時間能力制御するものである。したがって最大需要電力に関係なく年間を通じて空気調和機の使用電力量を低減することができる。【選択図】図１
2007003084.tif 000002
【特許請求の範囲】
【請求項１】
複数台の空気調和機の制御状態を検出する制御状態検出手段と、前記空気調和機の能力制御設定を入力する能力制御設定入力手段と、屋外の照度を検出する屋外照度検出手段と、前記屋外照度検出手段で検出した屋外の照度から日の出または日の入りを判定する日の出日の入り判定手段と、電力調整手段を具備した遠隔制御装置であって、前記日の出日の入り判定手段が日の出または日の入りを検知した場合、前記電力調整手段が前記制御状態検出手段ならびに前記能力制御設定入力手段の出力に基いて、前記空気調和機の能力制御を行うことを特徴とする遠隔制御装置。
【請求項２】
日の出または日の入りを判定するための目標となる屋外照度を設定する目標屋外照度設定入力手段を設けたことを特徴とした、請求項１記載の遠隔制御装置。
【請求項３】
空気調和機毎に能力制御する時間帯を設定する能力制御時間帯設定入力手段を設けたことを特徴とした、請求項１記載の遠隔制御装置。
【請求項４】
空気調和機毎に能力制御時の圧縮機上限周波数を設定することを特徴とした、請求項１記載の遠隔制御装置。
【請求項５】
空気調和機毎に能力制御時の設定温度シフト幅を設定することを特徴とした、請求項１記載の遠隔制御装置。
【請求項６】
空気調和機毎に能力制御時の設定風量を設定することを特徴とした、請求項１記載の遠隔制御装置。
【請求項７】
設定温度シフト幅を外気温度に応じて可変することを特徴とした、請求項５記載の遠隔制御装置。
【発明の詳細な説明】
【技術分野】
【０００１】
本発明は空気調和機の遠隔制御装置に関するものである。
【背景技術】
【０００２】
従来、この種の遠隔制御装置では、例えば図５に記載された遠隔制御装置があった（例えば、特許文献１参照）。
【０００３】
図５において、電力量に対する発信装置付電力量計１０７からのパルス信号を信号線１０８を介して入力するパルス信号入力部１０２と、パルス信号から時限最終時のデマンド電力を予測算出する予測デマンド電力算出手段１０３と、設定されたデマンド値と予測デマンド電力算出手段１０３で求められた予測デマンド値を比較し、電力調整制御手段を決定する電力調整手段１０４と、空気調和機１０６を制御する制御信号出力部１０５とを備えた端末機１０１を設け、端末機１０１は予測デマンド電力算出手段１０３で求められた予測デマンド値が設定デマンド値を超過したとき電力調整手段１０４で決定された制御信号を制御信号出力部１０５から出力し空気調和機１０６の停止制御を行っていた。
【特許文献１】特開平１０−１９７５６６号公報
【発明の開示】
【発明が解決しようとする課題】
【０００４】
しかしながら、前記従来の構成では、最大需要電力を削減するために遠隔制御装置により予測デマンド電力算出手段１０３からの予測デマンド値をもとに設定電力になるように空気調和機１０６を制御していた。このため空気調和機の使用電力量を低減できるのは、一般に夏場の外気温度が高い日中または冬場の外気温度が低い朝夕に限られてしまう課題を有していた。また、使用電力データを遠隔地に発信するための高額な発信装置付電力量計１０７が必要であり、発信装置付電力量計１０７から端末機１０１までの信号線１０８とそれに伴う工事が必要となる課題を有していた。
【０００５】
本発明は、前記従来の課題を解決するもので、屋外照度検出手段が検出する屋外照度から日の出日の入り判定手段が日の出または日の入りを検知した場合、電力調整手段が制御状態検出手段ならびに能力制御設定入力手段の出力に基いて空気調和機の使用電力量を低減するように運転状態を制御することで、高額な発信装置付電力量計が不要で年間を通じた使用電力量の低減ができる遠隔制御装置を提供することを目的とする。
【課題を解決するための手段】
【０００６】
前記従来の課題を解決するために、本発明の遠隔制御装置は、複数台の空気調和機の制御状態を検出する制御状態検出手段と、前記空気調和機の能力制御設定を入力する能力制御設定入力手段と、屋外の照度を検出する屋外照度検出手段と、前記屋外照度検出手段で検出した屋外の照度から日の出または日の入りを判定する日の出日の入り判定手段と、電力調整手段を具備した遠隔制御装置であって、前記日の出日の入り判定手段が日の出または日の入りを検知した場合、前記電力調整手段が前記制御状態検出手段ならびに前記能力制御設定入力手段の出力に基いて、前記空気調和機の能力制御を行うものである。
【０００７】
これによって、発信装置付電力量計からの信号による最大需要電力に関係なく年間を通じて空気調和機の使用電力量を低減することができる。
【発明の効果】
【０００８】
本発明の遠隔制御装置は、最大需要電力に関係なく年間を通じて空気調和機の使用電力
量を低減することができる。
【発明を実施するための最良の形態】
【０００９】
第１の発明は、複数台の空気調和機の制御状態を検出する制御状態検出手段と、空気調和機の能力制御設定を入力する能力制御設定入力手段と、屋外の照度を検出する屋外照度検出手段と、屋外照度検出手段で検出した屋外の照度から日の出または日の入りを判定する日の出日の入り判定手段と、電力調整手段を具備した遠隔制御装置であって、日の出日の入り判定手段が日の出または日の入りを検知した場合、電力調整手段が制御状態検出手段ならびに能力制御設定入力手段の出力に基いて、空気調和機の能力制御を行うもので、この構成をなすことにより、空気調和機の使用電力量低減をすることができる。
【００１０】
第２の発明は、特に、第１の発明の日の出または日の入りを判定するための目標とする屋外照度を容易に設定できることにより、建物立地環境並びに室内環境に適した空気調和機の使用電力量低減をすることができる。
【００１１】
第３の発明は、特に、第１の発明の能力制御する時間帯を能力制御時間帯入力手段で空気調和機毎に容易に設定できることにより、それぞれの使用状況や条件に適した空気調和機の使用電力量低減をすることができる。
【００１２】
第４の発明は、特に、第１の発明の能力制御時の圧縮機上限周波数を空気調和機毎に容易に設定できることにより、それぞれの使用状況や条件に適した空気調和機の使用電力量低減をすることができる。
【００１３】
第５の発明は、特に、第１の発明の能力制御時の設定温度シフト幅を空気調和機毎に容易に設定できることにより、それぞれの使用状況や条件に適した空気調和機の使用電力量低減をすることができる。
【００１４】
第６の発明は、特に、第１の発明の能力制御時の設定風量を空気調和機毎に容易に設定できることにより、それぞれの使用状況や条件に適した空気調和機の使用電力量低減をすることができる。
【００１５】
第７の発明は、特に、第５の発明の設定温度シフト幅を外気温度に応じて可変することにより、快適性を損なうことなく空気調和機の使用電力量を低減できる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における遠隔制御装置１のブロック図を示すものである。図１において、遠隔制御装置１は、制御状態検出手段８、能力制御設定入力手段９、屋外照度検出手段１０、日の出日の入り判定手段１１、電力調整手段１２から構成される。以上のように構成された遠隔制御装置において、以下その動作、作用を説明する。
【００１８】
制御状態検出手段８は、複数台の空気調和機２（２Ａ、・・・、２ｎ）の現在の運転状態（運転，停止，運転モード，設定温度，設定風量，吸い込み温度）を検出する。能力制御設定入力手段９は、空気調和機を能力制御するときの運転状態（例：運転停止、送風運転）を入力する。
【００１９】
屋外照度検出手段１０は、屋外の照度（例：３００ルクス）を検出する。日の出日の入り判定手段１１は、屋外照度検出手段１０で検出した照度を監視し、日の出または日の入
りを判定する。
【００２０】
電力調整手段１２は、制御状態検出手段８ならびに日の出日の入り判定手段１１の出力に基いて、能力制御設定入力手段９で設定された運転状態になるように信号線７を介して複数の空気調和機２（２Ａ、・・・、２ｎ）へ能力制御信号を送り所定時間能力制御を行う。以降この動作を繰り返す。
【００２１】
以上のように構成された遠隔制御装置は、制御状態検出手段８で検出する運転状態が冷房運転または除湿運転でかつ日の出日の入り判定手段１１で日の入りを検出した場合、または、制御状態検出手段８で検出する運転状態が暖房運転でかつ日の出日の入り判定手段１１で日の出を検出した場合、複数の空気調和機２を能力制御設定入力手段９で設定された運転モード、設定温度、設定風量を組み合わせた運転状態になるように所定時間能力制御するものである。
【００２２】
したがって最大需要電力に関係なく年間を通じて空気調和機の使用電力量を低減することができる。
【００２３】
また、最大需要電力を計測する必要がないため、高額な発信装置付電力量計を必要とせず、発信装置付電力量計から遠隔制御装置１までの信号線とこれに伴う工事を不要とすることができる。
【００２４】
尚、能力制御設定入力手段９への入力はパソコンの他、キー入力手段とマウス入力手段とタッチパネル入力手段のいずれかと画面を持つ入力手段を使用しても良い。
【００２５】
（実施の形態２）
図２は、本発明の実施の形態２における遠隔制御装置１のブロック図を示すものである。図２において、実施の形態１で説明した部分については同じ符号を用い説明を省略する。目標屋外照度設定入力手段１３は、日の出または日の入りを判定するための目標となる屋外照度を設定する（例：３００ルクス）。
【００２６】
以上のように構成された遠隔制御装置１は、日の出または日の入りを判定するための目標とする屋外照度を容易に設定できることにより、電力調整手段１２が複数の空気調和機２を能力制御する開始時間を自由に変更するものである。したがって、建物立地環境並びに室内環境に適した能力制御ができる。
【００２７】
尚、目標屋外照度設定入力手段１３への入力はパソコンの他、キー入力手段とマウス入力手段とタッチパネル入力手段のいずれかと画面を持つ入力手段を使用しても良い。
【００２８】
（実施の形態３）
図３は、本発明の実施の形態３における遠隔制御装置１のブロック図を示すものである。図３において、実施の形態１で説明した部分については同じ符号を用い説明を省略する。能力制御時間帯設定入力手段１４は、空気調和機２を能力制御する時間帯（例：１７時００分〜２０時００分）を空気調和機毎に入力する。
【００２９】
以上のように構成された遠隔制御装置１は、電力調整手段１２が複数の空気調和機２を能力制御する時間帯を自由に設定するものである。したがって、それぞれの使用状況や条件に適した空気調和機の使用電力量低減をすることができる。
【００３０】
また、屋外照度検出手段１０が屋外照度を検知できない異常時においても空気調和機の能力制御ができ、システム制御の信頼性を向上することができる。
【００３１】
（実施の形態４）
図１は、本発明の実施の形態４における遠隔制御装置１のブロック図を示すものである。図１において、実施の形態１で説明した部分については同じ符号を用い説明を省略する。能力制御設定入力手段９は、空気調和機２の使用電力量を所定時間低減するための圧縮機４（４Ａ、・・・、４ｎ）の上限周波数を空気調和機毎に入力する（例：４Ａ＝６０Ｈｚ、４ｎ＝２５Ｈｚ）。
【００３２】
以上のように構成された遠隔制御装置１は、電力調整手段１２が複数の空気調和機２を能力制御するための圧縮機上限周波数を自由に設定し、低減する電力量を可変するものである。したがって、それぞれの使用状況や条件に適した空気調和機の使用電力量低減をすることができる。
【００３３】
（実施の形態５）
図１は、本発明の実施の形態５における遠隔制御装置１のブロック図を示すものである。図１において、実施の形態１で説明した部分については同じ符号を用い説明を省略する。能力制御設定入力手段９は、空気調和機２の使用電力量を所定時間低減するための設定温度シフト幅を空気調和機毎に入力する（例：２Ａ＝２℃、２ｎ＝１℃）。
【００３４】
以上のように構成された遠隔制御装置１は、電力調整手段１２が能力制御設定入力手段９で設定された空気調和機毎の設定温度シフトを冷房運転および除湿運転で設定温度を高く、暖房運転で設定温度を低くなるように所定時間能力制御するものである。したがって、それぞれの使用状況や条件に適した空気調和機の使用電力量低減をすることができる。
【００３５】
（実施の形態６）
図１は、本発明の実施の形態６における遠隔制御装置１のブロック図を示すものである。図１において、実施の形態１で説明した部分については同じ符号を用い説明を省略する。能力制御設定入力手段９は、空気調和機２の使用電力量を所定時間低減するための設定風量を空気調和機毎に入力する（例：２Ａ＝弱風、２ｎ＝微弱風）。
【００３６】
以上のように構成された遠隔制御装置１は、電力調整手段１２が能力制御設定入力手段９で設定された空気調和機毎の設定風量になるように所定時間能力制御するものである。したがって、それぞれの使用状況や条件に適した空気調和機の使用電力量低減をすることができる。
【００３７】
（実施の形態７）
図４は、本発明の実施の形態７における遠隔制御装置１のブロック図を示すものである。図４において、実施の形態１で説明した部分については同じ符号を用い説明を省略する。能力制御設定入力手段９は、空気調和機２の使用電力量を所定時間低減するための設定温度シフト幅（Ｔｓ）を外気温度検出手段１５により測定された外気温度（Ｔｏ）により自動的に入力される（例：Ｔｏ＝３０℃のときＴｓ＝１℃、Ｔｏ＝３５℃のときＴｓ＝２℃）。
【００３８】
以上のように構成された遠隔制御装置１は、電力調整手段１２が能力制御設定入力手段９で入力された外気温度毎の温度シフト幅に応じて複数台の空気調和機２を所定時間能力制御するものである。したがって、快適性を損なうことなく空気調和機の使用電力量を低減できる。
【産業上の利用可能性】
【００３９】
以上のように、本発明の遠隔制御装置は、最大需要電力に関係なく年間を通じて空気調
和機の使用電力量を低減することが可能となるので、給湯器等のヒートポンプシステム機器の使用電力量低減にも適用できる。
【図面の簡単な説明】
【００４０】
【図１】本発明の実施の形態１および４〜６における遠隔制御装置のブロック図
【図２】本発明の実施の形態２における遠隔制御装置のブロック図
【図３】本発明の実施の形態３における遠隔制御装置のブロック図
【図４】本発明の実施の形態７における遠隔制御装置のブロック図
【図５】従来の遠隔制御装置のブロック図
【符号の説明】
【００４１】
１  遠隔制御装置
２Ａ、２ｎ  空気調和機
３Ａ、３ｎ  室外機
４Ａ、４ｎ  圧縮機
５Ａ、５ｎ  室内機
６Ａ、６ｎ  電気部品
７  信号線
８  制御状態検出手段
９  能力制御設定入力手段
１０  屋外照度検出手段
１１  日の出日の入り判定手段
１２  電力調整手段
１３  目標屋外照度設定入力手段
１４  能力制御時間帯設定入力手段
１５  外気温度検出手段
【図１】
2007003084.tif 000003
【図２】
2007003084.tif 000004
【図３】
2007003084.tif 000005
【図４】
2007003084.tif 000006
【図５】
2007003084.tif 000007